(57)【要約】【課題】小型でありながら十分な特性を有するアンテナ装置及び無線通信装置を提供すること。【解決手段】無線通信装置の筐体内に実装されるアンテナ装置であって、スプリットリング共振部と、それぞれスプリット共振部に接続されるインピーダンス整合部と、給電部と、結合部とを有し、結合部と筐体内の金属部とが結合し、金属部の互いに対向する第１の端部と第２の端部との間に、第１の端部と第２の端部から有限の距離を有して設けられることを特徴とするアンテナ装置。【選択図】      図１
2015065643.tif 000002
【特許請求の範囲】
【請求項１】
無線通信装置の筐体内に実装されるアンテナ装置であって、
スプリットリング共振部と、それぞれ前記スプリット共振部に接続されるインピーダンス整合部と、給電部と、結合部とを有し、
前記結合部と前記筐体内の金属部とが結合し、
前記金属部の互いに対向する第１の端部と第２の端部との間に、前記第１の端部と前記第２の端部から有限の距離を有して設けられることを特徴とするアンテナ装置。
【請求項２】
前記スプリットリング共振部および前記インピーダンス整合部は、前記金属部から所定の距離だけ離れている請求項１に記載のアンテナ装置。
【請求項３】
前記スプリットリング共振部、前記インピーダンス整合部、前記給電部及び前記結合部はプリント基板に設けられ、
前記プリント基板は、その面が前記金属部の有する金属面に略垂直に設けられている、請求項１又は２に記載のアンテナ装置。
【請求項４】
前記スプリットリング共振部、前記インピーダンス整合部、前記給電部及び前記結合部は誘電体ブロックの側面に設けられ、
前記誘電体ブロックは、前記スプリットリング共振部及び前記インピーダンス整合部が設けられた側面と前記金属部の有する金属面とが略垂直になるように前記金属面上に設けられている、請求項１又は２に記載のアンテナ装置。
【請求項５】
前記結合部は、二以上の点で前記金属部と結合している、請求項１乃至４のいずれか一項に記載のアンテナ装置。
【請求項６】
前記結合部は、静電容量結合により前記金属部と結合している、請求項１乃至４のいずれか一項に記載のアンテナ装置。
【請求項７】
前記結合部は、接続線を介してマグネットと接続しており、
前記マグネットを前記金属部と結合させることによりアンテナとして機能する、請求項１乃至６のいずれか一項に記載のアンテナ装置。
【請求項８】
複数の前記スプリットリング共振部及びインピーダンス整合部を有し、
複数の前記スプリットリング共振部同士、及び複数の前記インピーダンス整合部同士がマイクロストリップラインで接続されている、請求項１乃至７のいずれか一項に記載のアンテナ装置。
【請求項９】
請求項１乃至８に記載のアンテナ装置を有することを特徴とする無線通信装置。
【請求項１０】
スプリットリング共振部と、それぞれ前記スプリットリング共振部に接続されるインピーダンス整合部と、給電部と、結合部とを有し、
前記結合部が金属部と結合することによりアンテナとして機能することを特徴とする、アンテナ装置。
【発明の詳細な説明】
【技術分野】
【０００１】
本発明は、アンテナ装置及び当該アンテナを有する無線通信装置に関する。
【背景技術】
【０００２】
近年、特定の構造を有する導体パターンを周期的に配置することで当該構造中を伝搬する電磁波の伝播特性を人工的に制御する技術（メタマテリアル技術）が提案されている。このメタマテリアルの最も基本的な構成要素として知られるものに、環状の導体を周方向の一部で切断したＣ字状のスプリットリングを用いたスプリットリング共振器がある。スプリットリング共振器は、磁界と相互作用することで実効的な透磁率を制御することができる。
【０００３】
通信機能を有した電子装置においては、常に小型化が望まれており、これに伴い、通信を担うアンテナも小型化が要求されている。そこで、スプリットリング共振器を利用してアンテナを小型化する技術が提案されている。
【０００４】
関連技術のスプリットリング共振器アンテナ(Ｓｐｒｉｔ  Ｒｉｎｇ  Ｒｅｓｏｎａｔｏｒアンテナ、以降ＳＲＲアンテナとする)は、装置の部品実装プリント基板に直接描画される構成であった。また、スプリットリング共振器には、電波放射の源となる強烈な高周波渦電流が流れる。そのため、スプリットリング共振器の周辺近傍に金属物を実装した場合、当該金属物がこの渦電流を阻害してしまう。アンテナ特性を保護するため、スプリットリング共振器の周辺近傍には金属物を実装することができなかった。
【０００５】
図１２は、一般的なタブレット端末の筐体内部の構成を示す図である。図１２はＬＣＤ（Ｌｉｑｕｉｄ  Ｃｒｙｓｔａｌ  Ｄｉｓｐｌａｙ）表示画面の裏側から内蔵物を見た図である。タブレット端末の狙うべき外観スタイルは、大画面かつ小型外観、すなわち狭額縁である。そのため、ＬＣＤ１の上に部品実装プリント基板２と電池３が配置される。すなわち一番大きな構造物であるＬＣＤ１を装置外形として、その内輪に他の部品が実装される。ＬＣＤ１のサイズに添って装置筐体４を設計し、極力装置外形を小さくかつＬＣＤ表示画面を大きくする。この場合、ＳＲＲアンテナのスプリットリング共振器とＬＣＤ１は近接せざるを得ない事になる。ここで、ＬＣＤ１は金属物では無さそうに思える。しかし、ＬＣＤ１には強度確保のための金属カバーが付いているため、ＬＣＤ１はまさに金属の固まりでありアンテナ特性を阻害する要因となる。したがって、ＬＣＤ１上に配置される部品実装プリント基板２にＳＲＲアンテナを実装することは出来ない。例えば図１２に示すようにＳＲＲアンテナ５を配置したとしても、ＳＲＲアンテナとＬＣＤの金属部とが近接してしまう。
【０００６】
特許文献１には、メタマテリアルを用いたアンテナが開示されている。すなわち、アンテナとして機能させたい領域を他の領域と区画する領域の金属筐体の内側に、複数のメタマテリアルを貼り付ける。アンテナとして機能させたい領域が、他の領域と電磁気的に分離されて、電磁界のメタマテリアルの共振波長の近傍の成分の電磁波と共振するアンテナとして機能する。この結果、金属筐体の一部をアンテナとして機能させることができる。
【０００７】
特許文献２には、レーダビームの視野を調整するレンズとしてメタマテリアルを用いる車両用のレーダシステムが開示されている。
【先行技術文献】
【特許文献】
【０００８】
【特許文献１】ＷＯ２０１２／１０８３５１号公報
【特許文献２】特表２０１０−５２６３１８号公報
【発明の概要】
【発明が解決しようとする課題】
【０００９】
しかしながら、特許文献１及び２に記載の技術には、以下の問題点があった。例えば特許文献１に記載のアンテナでは、金属筐体にアンテナ領域を区画するための媒体としてメタマテリアルを用いている。そのため、アンテナとして機能させたい領域の他に複数のメタマテリアルを貼付する領域等を確保しなければならず、アンテナ装置の小型化と十分なアンテナ特性の確保を両立することができなかった。
【００１０】
本発明は、上述した課題を解決するアンテナ装置及び無線通信装置を提供することを目的とする。
【課題を解決するための手段】
【００１１】
本発明のアンテナ装置は、無線通信装置の筐体内に実装されるアンテナ装置であって、スプリットリング共振部と、それぞれスプリットリング共振部に接続するインピーダンス整合部と、給電部と、結合部とを有し、結合部と筐体内の金属部とが結合し、金属部の互いに対向する第１の端部と第２の端部との間に、第１の端部と第２の端部から有限の距離を有して設けられることを特徴とする。
【発明の効果】
【００１２】
本発明によれば、小型でありながら十分な特性を有するアンテナ装置及び無線通信装置を提供することができる。
【図面の簡単な説明】
【００１３】
【図１】第１の実施形態にかかるアンテナ装置１０の構成を示す図である。
【図２】第１の実施形態にかかるアンテナ装置１０の実装例を示す図である。（ａ）は装置筐体内全体を示す図、（ｂ）はアンテナ装置１０の実装部分の拡大図である。
【図３】第１の実施形態にかかるアンテナ装置１０のインピーダンス特性を示す図である。
【図４】第１の実施形態にかかるアンテナ装置１０のリターンロス特性を示す図である。
【図５】第１の実施形態にかかるアンテナ装置１０の回路との整合損失とリターンロスとの関係を示す図である。
【図６】第２の実施形態にかかるアンテナ装置２０の構成を示す図である。（ａ）は２点接触型、（ｂ）は１点結合接触型、（ｃ）は非接触型を示す図である。
【図７】第３の実施形態にかかるアンテナ装置３０の構成を示す図である。
【図８】第３の実施形態にかかるアンテナ装置３０のリターンロス特性を示す図である。
【図９】第４の実施形態にかかる在庫管理システム４０の構成を示す図である。
【図１０】第５の実施形態にかかるアンテナ装置５０の構成を示す図である。
【図１１】第６の実施形態にかかるアンテナ装置６０の構成を示す図である。
【図１２】関連技術における装置筐体内部の構成を示す図である。
【発明を実施するための形態】
【００１４】
［第１の実施形態］
図１は、第１の実施形態にかかるアンテナ装置１０の構成を示す図である。プリント基板１１には、給電部１２と、スプリットリング共振部１３と、インピーダンス整合部１４と、結合部１５とが設けられている。給電部１２、インピーダンス整合部１４、結合部１５はそれぞれスプリットリング共振部１３に接続している。
【００１５】
給電部１２には、同軸ケーブル又はマイクロストリップライン等の電波を損失なく伝送する伝送線路が接続される。
【００１６】
スプリットリング部１３、インピーダンス整合部１４、結合部１５は、プリント基板に銅箔で描画印刷されている。図１において斜線で示されている部分には銅箔が設けられており、白色で示されている部分には銅箔が設けられていない。具体的には、スプリットリング共振部１３及びインピーダンス整合部１４それぞれの周囲を囲むように銅箔が設けられている。
【００１７】
図１の長点線で囲まれるスプリットリング共振部１３は、その周囲の一部にスプリット部を有する。スプリット部では、間隙を挟んで銅箔パターンが対向している。スプリット部は、コンデンサの機能を有する。
【００１８】
図１の一点鎖線で囲まれるインピーダンス整合部１４には、ＲＦ回路とのインピーダンス整合性を高めるための一般的な技術が用いられる。
【００１９】
スプリットリング部１３、インピーダンス整合部１４を含む部分を、ＳＲＲコアと称する。ＳＲＲコアの構成により、共振周波数が決定される。
【００２０】
装置筐体内の金属部とアンテナ装置１０の結合部１５とを接続することで、アンテナ装置１０を構成する。
【００２１】
図２は、アンテナ装置１０の実装例を示す図である。図２（ａ）は、ＬＣＤ１、部品実装プリント基板２、電池３を図１２と同様に配置した装置筐体内部の斜視図である。図２（ｂ）は、アンテナ装置１０の実装部分の拡大図である。結合部１５とＬＣＤ１の金属壁部、つまりＬＣＤ１の強度確保のための金属カバーの側面とを結合（接触）させることによりアンテナ装置１０を実装する。すなわち、アンテナ装置１０は、ＬＣＤ１の部品実装面（部品実装プリント基板や電池が実装されている面）に対して垂直に実装される。図２（ａ）、（ｂ）においては、ＳＲＲコアのパターン印刷は、プリント基板１１の裏面に施されているものとする。結合部１５とＬＣＤ１の金属壁部との結合には、導通性両面テープ、ガスケット（導通性クッション）を用いることができる。また、結合部が他の部品等を用いて金属壁部に押さえ付けられるような構造となるように設計することもできる。
【００２２】
ＳＲＲコアに流れる電流だけでは、実用的な放射効率を実現することができない。そこで、本実施形態にかかるアンテナ装置１０は、ＬＣＤ１の金属壁部の端（第１の端部１６及び第２の端部１７）から有限の距離（図２では点線矢印で示す部分）を有する位置に実装される。点線矢印で示す部分もＳＲＲコア同様電波放射を司る。なお、第１の端部１６とアンテナ装置を実装する箇所との間の距離は、第２の端部１７とアンテナを実装する箇所との間の距離と同じでなくてもよい。
【００２３】
アンテナ装置１０の給電部１２は、同軸ケーブル６を介して部品実装プリント基板２に実装されたＲＦ回路（図示せず）と接続している。
【００２４】
次に、本実施形態によるアンテナ装置１０の動作について説明する。
【００２５】
周波数ｆのＲＦ信号が入力されたスプリットリング共振部１３は、その周囲に沿ってリング状に流れる電流によって生じるインダクタンスＬとスプリット部に生じるキャパシタンスＣとからなるＬＣ直列共振回路として、入力されたＲＦ信号を既知である次式に基づいて共振させる。π（パイ）は円周率を表す。
【００２６】
ｆ＝１／２π√ＬＣ・・・・・（式１）
まず、ＲＦ回路が給電部１２に周波数ｆのＲＦ信号を出力する。給電部１２は、ＲＦ回路から入力した当該周波数ｆのＲＦ信号をスプリットリング共振部１３に出力する。周波数ｆのＲＦ信号が入力されたスプリットリング共振部１３は、その周囲に沿ってリング状に流れる電流によって生じるインダクタンスＬとスプリット部に生じるキャパシタンスＣとからなるＬＣ直列共振回路を形成する。これにより、入力されたＲＦ信号を共振させる。そして、アンテナ装置１０は、スプリットリング共振部１３において生じる共振現象に基づいて周波数ｆの電磁波信号を中空に放射する。このように、本実施形態によるアンテナ装置１０は周波数ｆの電磁波を中空に放射するアンテナとして機能する。
【００２７】
図３及び４は、本実施の形態にかかるアンテナ装置１０の特性を示す図である。図３はアンテナ装置のインピーダンス特性、図４はリターンロス特性を示す。図３及び図４に示した特性は、ネットワークアナライザをアンテナの給電部１２に接続して測定したものである。
【００２８】
インピーダンスとは、高周波におけるアンテナ装置の特性を表すものの一つであり、スミスチャートに描かれる。一般的には、スミスチャート円の中心の５０Ωに近いほど、アンテナ装置としての特性がよく、さらに回路との整合もよくなる。
【００２９】
リターンロスとは、インピーダンスと同じ測定により得られるものであり、チャートへの表し方が異なるものである。５０Ωに近いほど小さな値になるように作成された図である。すなわち、図４に示す谷の部分が５０Ωに近い部分であり、アンテナ装置の特性がよく、さらに回路との整合もよくなる。図４においてマーカー１と２の間にある谷が共振周波数である。アンテナ装置１０の共振周波数は、２４００〜２５００ＭＨｚであることがわかる。共振周波数が２４００〜２５００ＭＨｚであるアンテナ装置は、例えばＷｉＦｉ（Ｗｉｒｅｌｅｓｓ  Ｆｉｄｅｌｉｔｙ、登録商標）のアンテナ装置として用いられる。
【００３０】
図５は、回路との整合損失とリターンロスとの関係を示す図である。図５からわかるように、リターンロスが−５ｄＢ以上になると整合損失が急激に増加する。そのため、設計ではリターンロスが−５ｄＢ以下となるように心がける。本実施の形態にかかるアンテナ装置１０の場合、図４に示すように、ＷｉＦｉ使用周波数帯域（２４００〜２５００ＭＨｚ）においてリターンロスが−５ｄＢ以下になっており、ＷｉＦｉアンテナに適したアンテナ装置であることがわかる。
【００３１】
本実施形態にかかるアンテナ装置１０は、ＬＣＤ１の金属壁部と結合することでアンテナとして機能する。また、アンテナ装置１０は、ＬＣＤ１の金属壁部の端から有限の距離を有する位置に実装される。これにより、アンテナ装置自身を小型化しつつ、十分なアンテナ特性を確保することができる。さらに、ＳＲＲコアは金属壁部から所定の距離だけ離れている。本実施形態では、アンテナ装置がＬＣＤ１の金属壁部に金属面に対して垂直に実装される。これにより、ＳＲＲコアが印刷されたプリント基板平面に垂直な方向にＬＣＤの金属部、すなわち、ＳＲＲコアを流れる高周波渦電流を遮る金属部が近接していない。そのため、アンテナ特性を阻害することなくアンテナ装置を実装することができる。
【００３２】
本実施形態では、アンテナ装置１０が無線信号の送信側として電磁波を放射するアンテナ装置である場合を説明した。しかし、アンテナ装置１０は、無線信号の受信側として電磁波を受信することも可能である。すなわち、アンテナ装置１０は、外部から中空を伝搬する周波数ｆの電磁波を受信して、当該受信したＲＦ信号をＲＦ回路（受信回路）へと出力することもできる。この場合の動作は、上述した放射する際の動作と逆の動作となる。
【００３３】
また、アンテナ装置１０は、金属平面と正確に垂直である必要はなく、やや斜めでもよい、
また、ＳＲＲコアは、銅箔で形成される場合が一般的であるが、導電性であれば他の素材で形成されてもよく、各々が同一の素材であってもよいし、異なる素材であってもよい。
【００３４】
また、アンテナ装置１０は、タブレット端末だけでなく種々の無線通信装置に実装されうる。アンテナ装置の小型化により、無線通信装置全体の小型化が可能となる。
［第２の実施形態］
図６は、第２の実施形態にかかるアンテナ装置２０、２１、２２の構成を示す図である。アンテナ装置２０、２１、２２は、第１の実施形態にかかるアンテナ装置１０と同様のＳＲＲコアを有している。アンテナ装置２０、２１、２２は、結合部とＬＣＤ１の金属部との結合の態様がアンテナ装置１０と異なる。
【００３５】
図６（ａ）に示すアンテナ装置２１では、結合部２５とＬＣＤ１の金属部とが２点で結合（接触）している（２点接触型）。
【００３６】
図６（ｂ）に示すアンテナ装置２０では、結合部３５の面積がアンテナ装置１０における結合部１５の面積よりも小さく、１点でＬＣＤ１の金属部と結合（接触）している（１点接触型）。
【００３７】
図６（ｃ）に示すアンテナ装置２２では、ＳＲＲコアが印刷されたプリント基板に対して平行な方向から見た図である。図６（ｃ）では、結合部とＬＣＤの金属部との直接の接触はなく、面同士が容量結合部４５において静電容量結合している（非接触型）。容量結合部４５がコンデンサとしての機能を有する。そのため、容量結合部４５の面積が大きく、かつ空間間隙が小さいほど静電容量が大きくなり、結合が強くなる。
【００３８】
アンテナ装置２０、２１、２２の動作は、第１の実施形態におけるアンテナ装置１０の動作と同様である。
【００３９】
本実施形態にかかるアンテナ装置２０、２１、２２によれば、ＬＣＤ１の金属部の形状に合わせた結合態様を実現することができ、より信頼性の高い結合を実現することができる。
［第３の実施形態］
図７は、第３の実施形態にかかるアンテナ装置３０を示す図である。
【００４０】
部品実装基板２上に、誘電体素材のブロックを設ける。本実施形態では、セラミック素材の直方体７を設ける。当該直方体７の表面にはスプリットリング共振部２３及びインピーダンス整合部２４が描画印刷され、ＳＲＲコアを構成する。直方体７は、底面で部品実装基板２の配線と半田づけする。
【００４１】
図８は、アンテナ装置のリターンロス特性を示す図である。図８において比較のために、第１の実施形態にかかるアンテナ装置１０のリターンロス特性Ｂと本実施の形態にかかるアンテナ装置３０のリターンロス特性Ａとを重ねて表示した。図８からわかるように、アンテナ装置１０に比べて多少カバー周波数帯域の範囲が狭くなる。しかしこれは、対応すべきシステムの周波数帯域に応じてアンテナ装置を適切に設計することで解決する。
【００４２】
セラミック素材の直方体７の表面ＳＲＲコアを描画印刷することにより、第１及び２の実施形態におけるプリント基板１１に描画印刷したＳＲＲコアと異なり、アンテナ装置を１つの自動搭載部品として扱うことができる。そのため、製造が容易になる。
【００４３】
なお、アンテナ装置３０の形状は直方体に限られず、立方体や円柱形などでもよい。また、素材はセラミックに限られず、樹脂であってもよい。
［第４の実施形態］
図９は、第４の実施形態にかかる在庫管理システム１００の構成を示す図である。第１乃至３の実施形態においては、装置筐体内の金属部とアンテナ装置の結合部とを結合（接触）させる構成としたが、自装置内の金属部で無く、例えばあるシステムに含まれる金属製のラックやＢＯＸと結合部とを結合させることもできる。図１１は、ジュース等の自動販売機に無線機を搭載し、在庫管理をするシステムである。在庫管理システム１００は、自動販売機４１、無線機８、同軸ケーブル９、アンテナ装置４０を含む。アンテナ装置４０は、第１乃至３の実施形態におけるアンテナ装置と同様の構成である。無線機８とアンテナ装置４０とは同軸ケーブル９で接続されている。アンテナ装置４０の結合部と自動販売機４１の金属部とを結合することにより、ＳＲＲアンテナを構成することができる。
［第５の実施形態］
図１０は、第５の実施形態にかかるアンテナ装置５０の構成を示す図である。アンテナ装置５０は、第１乃至３の実施形態におけるアンテナ装置と同様の構成を有するアンテナ装置に接続線５１を設けた構成である。接続線５１を介してマグネット５２と結合部５５とを接続し、マグネット５２を金属部に接触させることにより、ＳＲＲアンテナを構成することができる。本実施形態にかかるアンテナ装置５０によれば、マグネット５２を接続することにより、金属部に自在に貼付することができる。
［第６の実施形態］
図１１は、第６の実施形態にかかるアンテナ装置６０を示す図である。アンテナ装置６０は、二つのスプリットリング共振部及びインピーダンス整合部を有する。それぞれのスプリットリング共振部及びインピーダンス整合部の構成は、第１及び２の実施形態におけるスプリットリング共振部１３及びインピーダンス整合部１４と同様である。
【００４４】
アンテナ装置６０では、マイクロストリップライン６３を用いてスプリットリング共振部３３及び４３を接続している。また、マイクロストリップライン６４を用いてインピーダンス整合部３４及び４４を接続している。マイクロストリップライン６３には、給電部６２が接続されている。アンテナ装置６０によれば、それぞれのスプリットリング共振部において、それぞれの共振周波数に対して良好なインピーダンス整合をとることができる。スプリットリング共振部及びインピーダンス整合部を複数設けたことにより、複数の周波数帯で動作し、かつ小型なアンテナ装置を提供することができる。
【００４５】
本実施形態にかかるアンテナ装置６０は、第１乃至第５の実施形態にかかるアンテナ装置と同様、結合部を筐体内外の金属部に接触させることにより、ＳＲＲアンテナを構成する。
【００４６】
以上、本発明の実施形態について説明したが、本発明は、上記実施形態に限定されるものではなく、本発明の趣旨を逸脱しない限りにおいて、他の変形例、応用例を含むことは言うまでもない。
【００４７】
上記の実施形態の一部又は全部は、以下のようにも記載されうるが、以下には限られない。
【００４８】
（付記１）
無線通信装置の筐体内に実装されるアンテナ装置であって、
スプリットリング共振部と、それぞれ前記スプリット共振部に接続されるインピーダンス整合部と、給電部と、結合部とを有し、
前記結合部と前記筐体内の金属部とが結合し、
前記金属部の互いに対向する第１の端部と第２の端部との間に、前記第１の端部と前記第２の端部から有限の距離を有して設けられることを特徴とするアンテナ装置。
【００４９】
（付記２）
前記スプリットリング共振部および前記インピーダンス整合部は、前記金属部から所定の距離だけ離れている付記１に記載のアンテナ装置。
【００５０】
（付記３）
前記スプリットリング共振部、前記インピーダンス整合部、前記給電部及び前記結合部はプリント基板に設けられ、
前記プリント基板は、その面が前記金属部の有する金属面に略垂直に設けられている、付記１又は２に記載のアンテナ装置。
【００５１】
（付記４）
前記スプリットリング共振部、前記インピーダンス整合部、前記給電部及び前記結合部は誘電体ブロックの側面に設けられ、
前記誘電体ブロックは、前記スプリットリング共振部及び前記インピーダンス整合部が設けられた側面と前記金属部の有する金属面とが略垂直になるように前記金属面上に設けられている、付記１又は２に記載のアンテナ装置。
【００５２】
（付記５）
前記結合部は、二以上の点で前記金属部と結合している、付記１乃至４のいずれか一項に記載のアンテナ装置。
【００５３】
（付記６）
前記結合部は、静電容量結合により前記金属部と結合している、付記１乃至４のいずれか一項に記載のアンテナ装置。
【００５４】
（付記７）
前記結合部は、接続線を介してマグネットと接続しており、
前記マグネットを前記金属部と結合させることによりアンテナとして機能する、付記１乃至６のいずれか一項に記載のアンテナ装置。
【００５５】
（付記８）
複数の前記スプリットリング共振部及びインピーダンス整合部を有し、
複数の前記スプリットリング共振部同士、及び複数の前記インピーダンス整合部同士がマイクロストリップラインで接続されている、付記１乃至７のいずれか一項に記載のアンテナ装置。
【００５６】
（付記９）
付記１乃至８に記載のアンテナ装置を有することを特徴とする無線通信装置。
【００５７】
（付記１０）
スプリットリング共振部と、それぞれ前記スプリットリング共振部に接続されるインピーダンス整合部と、給電部と、結合部とを有し、
前記結合部が金属部と結合することによりアンテナとして機能することを特徴とする、アンテナ装置。
【００５８】
（付記１１）
前記アンテナ装置は無線通信装置の筐体内に実装され、
前記結合部と前記筐体内の金属部とが結合し、
前記金属部の互いに対向する第１の端部と第２の端部との間に、前記第１の端部と前記第２の端部から有限の距離を有して設けられる、付記１０に記載のアンテナ装置。
【００５９】
（付記１２）
前記スプリットリング共振部および前記インピーダンス整合部は、前記金属部から所定の距離だけ離れている付記１０又は１１に記載のアンテナ装置。
【００６０】
（付記１３）
前記スプリットリング共振部、前記インピーダンス整合部、前記給電部及び前記結合部はプリント基板に設けられ、
前記プリント基板は、その面が前記金属部の有する金属面に略垂直に設けられている、付記１０乃至１２のいずれか一項に記載のアンテナ装置。
【００６１】
（付記１４）
前記スプリットリング共振部、前記インピーダンス整合部、前記給電部及び前記結合部は誘電体ブロックの側面に設けられ、
前記誘電体ブロックは、前記スプリットリング共振部及び前記インピーダンス整合部が設けられた側面と前記金属部の有する金属面とが略垂直になるように前記金属面上に設けられている、付記１０乃至１２のいずれか一項に記載のアンテナ装置。
【００６２】
（付記１５）
前記結合部は、二以上の点で前記金属部と結合している、付記１０乃至１４のいずれか一項に記載のアンテナ装置。
【００６３】
（付記１６）
前記結合部は、静電容量結合により前記金属部と結合している、付記１０乃至１４のいずれか一項に記載のアンテナ装置。
【００６４】
（付記１７）
前記結合部は、接続線を介してマグネットと接続しており、
前記マグネットを前記金属部と結合させることによりアンテナとして機能する、付記１０乃至１６のいずれか一項に記載のアンテナ装置。
【００６５】
（付記１８）
複数の前記スプリットリング共振部及びインピーダンス整合部を有し、
複数の前記スプリットリング共振部同士、及び複数の前記インピーダンス整合部同士がマイクロストリップラインで接続されている、付記１０乃至１７のいずれか一項に記載のアンテナ装置。
【００６６】
（付記１９）
付記１０乃至１８に記載のアンテナ装置を有することを特徴とする無線通信装置。
【符号の説明】
【００６７】
１    ＬＣＤ
２    部品実装プリント基板
３    電池
４    装置筐体
５    ＳＲＲアンテナ
６    同軸ケーブル
７    直方体
８    無線機
９    同軸ケーブル
１０、２０、２１、２２、３０、４０、５０、６０    アンテナ装置
１１    プリント基板
１２、６２    給電部
１３、２３、３３、４３    スプリットリング共振部
１４、２４、３４、４４    インピーダンス整合部
１５、２５、３５、５５    結合部
１６  第１の端部
１７  第２の端部
４１    自動販売機
４５    容量結合部
５１  接続線
５２  マグネット
６３、６４    マイクロストリップライン
１００    在庫管理システム
【図１】
2015065643.tif 000003
【図２】
2015065643.tif 000004
【図３】
2015065643.tif 000005
【図４】
2015065643.tif 000006
【図５】
2015065643.tif 000007
【図６】
2015065643.tif 000008
【図７】
2015065643.tif 000009
【図８】
2015065643.tif 000010
【図９】
2015065643.tif 000011
【図１０】
2015065643.tif 000012
【図１１】
2015065643.tif 000013
【図１２】
2015065643.tif 000014